(57)【要約】【課題】故障を検出した場合に、システムにどの程度影響するかの重み付けをもったシステム状態の表示により、発生した故障に対しユーザ側で適切に対処可能とする。【解決手段】Ｒ型受信機１０の受信機パネル１２にシステム状態表示器２０を設ける。Ｒ型受信機１０は、受信機自身、アナログ感知器、中継器及び伝送路を含む防災監視システムの構成要素の故障を監視して故障度合を評価し、評価した故障度合をシステム状態表示器２０に出力し、システム状態表示器２０で故障度合が高くなるほど例えば故障表示灯の数が増加するように表示してシステムの故障がどの程度かを表示する。【選択図】図１
2020024765.tif 000002
【特許請求の範囲】
【請求項１】
システム構成要素の状態を監視してシステムの故障度合を評価して出力する制御部と、
前記制御部が出力する故障度合を表示するシステム状態表示器と、
を設け、
前記制御部は、前記システム構成要素の故障に関する状態を検出した場合に、故障の有無及び故障への対応方法に応じて故障に関する状態を評価し、前記システム状態表示器に前記評価結果に応じた故障度合を表示することを特徴とする防災監視システム。
【請求項２】
システム構成要素の状態を監視してシステムの故障度合を評価して出力する制御部と、
前記制御部が出力する故障度合を表示するシステム状態表示器と、
を設け、
前記制御部は、前記システム構成要素の故障に関する状態を検出した場合に、故障の有無及び防災監視の可否に応じて故障に関する状態を評価し、前記システム状態表示器に前記評価結果に応じた故障度合を表示することを特徴とする防災監視システム。
【請求項３】
システム構成要素の状態を監視してシステムの故障度合を評価して出力する制御部と、
前記制御部が出力する故障度合を表示するシステム状態表示器と、
を設け、
前記制御部は、前記システム構成要素の故障に関する状態を検出した場合に、少なくとも１段階の故障と、経年劣化と、故障なしと、の何れかの段階に分類し、前記システム状態表示器に前記分類した結果に応じた故障度合を表示することを特徴とする防災監視システム。
【請求項４】
請求項１乃至３の何れかに記載の防災監視システムに於いて、
前記制御部は、前記故障に関する状態を複数段階に分類することで、前記故障度合を評価することを特徴とする防災監視システム。
【発明の詳細な説明】
【技術分野】
【０００１】
本発明は、警戒区域に引き出された信号線に接続した火災感知器やガス漏れ検知器からの信号を受信機で受信して火災警報やガス漏れ警報を出力する防災監視システムに関する。
【背景技術】
【０００２】
従来、Ｒ型として知られた防災監視システムにおいては、Ｒ型受信機から引き出された伝送線に例えば伝送機能を備えた火災感知器を接続し、受信機から火災感知器に一定周期で一括ＡＤ変換コマンドを送信して煙濃度や温度などのセンサデータを検出し、続いて、火災感知器のアドレスを指定したポーリングコマンドの送信によりセンサデータを応答受信し、受信したセンサデータを所定の閾値と比較し、閾値を超えたときに火災と判断し、音響や表示灯によって火災警報を出力し、併せて火災を検出した感知器アドレスから火災発生場所を表示している。
【０００３】
また、Ｐ型として知られた防災監視システムにおいては、Ｐ型受信機から引き出された感知器回線にオンオフ型感知器や発信機を接続して回線単位に火災を監視しており、オンオフ型感知器で火災を検出した場合に回線に流れる発報電流をＰ型受信機で検出して、音響や表示灯によって火災警報を出力し、併せて地区表示灯を点灯して火災発生地区を表示している。
【０００４】
このような防災監視システムの受信機にあっては、システムの状態表示のため、受信機の故障、感知器を含む端末機器の故障、端末機器を接続している配線異常等を監視しており、システム内での故障や異常を検出すると、受信機に設けた障害代表灯を点灯すると共に障害警報音を出力して知らせるようにしている。
【０００５】
このように受信機で障害が報知された場合には、受信機に設けた液晶パネル又はＬＥＤ等の表示器により故障個所や故障内容を表示し、これを見て防災担当者等は必要な対処を行うことになる。
【先行技術文献】
【特許文献】
【０００６】
【特許文献１】特開平０８−２５５２９４号公報
【特許文献２】特開２００９−０８７１１１号公報
【特許文献３】特開平０７−２６２４７４号公報
【発明の概要】
【発明が解決しようとする課題】
【０００７】
しかしながら、このような従来の防災監視システムにあっては、システムで発生した個々の故障の発生箇所や故障内容は表示するが、発生した故障に直ぐに対処しないと監視機能が失われて人命に影響があるのか、それとも後日の対応で問題ないのかが、システムを構成している機器に不慣れなユーザでは判断できず、適切な対処に手間取るという問題がある。
【０００８】
また、故障がどの程度の影響を及ぼすか判断できないユーザは、不安に駆られることから、後日の対応で問題ない場合にも、保守メーカに緊急呼出を行い、軽度の故障であっても例えば深夜に対応することもあり、保守メーカの業務負担となっている。
【０００９】
本発明は、故障を検出した場合に、システムにどの程度影響するかの重み付けをもったシステム状態の表示により、発生した故障に対しユーザ側で適切に対処可能とする防災監視システムを提供することを目的とする。
【課題を解決するための手段】
【００１０】
本発明は、防災監視システムに於いて、
システム構成要素の状態を監視してシステムの故障度合を評価して出力する制御部と、
制御部が出力する故障度合を表示するシステム状態表示器と、
を設けたことを特徴とする。
【００１１】
制御部は、システム構成要素の故障に関する状態を検出した場合に、故障の有無及び故障への対応方法に応じて故障に関する状態を評価し、システム状態表示器に評価結果に応じた故障度合を表示する。
【００１２】
制御部は、システム構成要素の故障に関する状態を検出した場合に、故障の有無及び防災監視の可否に応じて故障に関する状態を評価し、システム状態表示器に評価結果に応じた故障度合を表示する。
【００１３】
制御部は、システム構成要素の故障に関する状態を検出した場合に、少なくとも１段階の故障と、経年劣化と、故障なしと、の何れかの段階に分類し、システム状態表示器に分類した結果に応じた故故障度合を表示する。
【００１４】
制御部は、故障に関する状態を複数段階に分類することで、故障度合を評価する。
【発明の効果】
【００１５】
（基本的な効果）
本発明は、警戒区域に引き出された信号線に接続した検出器からの検出信号を受信機で受信して警報を出力する防災監視システムに於いて、受信機、検出器及び信号線を含むシステム構成要素の状態を監視してシステムの故障度合を評価して出力する制御部と、制御部が出力する故障度合を表示するシステム状態表示器とを設けるようにしたため、故障が発生した場合に、システム状態表示器の表示を見ることで、ユーザにおいて直ぐに対処が必要な故障であるか否かが容易に分かり、適切な対処により故障を修復することで、故障による影響を最小限に食い止めることができる。また、軽度の故障が発生した場合にも、ユーザはこれを容易に見分けることができ、不安に駆られて深夜等の緊急呼出し等を行うようなことが低減し、保守メーカの業務負担を低減可能とする。
【００１６】
（故障に対するランク又は点数の割当てによる評価）
また、制御部は、システム構成要素の故障種別に応じて故障度合を示す所定のランク又は所定の点数を割当て、システム構成要素の故障を検出した場合に、検出した故障に割当てられたランク又は点数に応じてシステム状態表示器に故障度合を表示するようにしたため、故障度合をランク又は点数で定数的に評価して、故障の程度に応じたシステム状態の表示を可能とする。
【００１７】
（故障に対するランク又は点数の変更による効果）
また、制御部は、設定操作に基づき、システム構成要素の故障種別に応じて故障度合を示すランク又は点数の割当てを変更可能としたため、故障内容に対応して故障度合を示すランクや点数を必要に応じて適宜に変更することができる。
【００１８】
（故障に対するランク又は点数の割当てによる評価１の効果）
また、制御部は、システム構成要素の故障を含む状態を検出した場合に、所定のランク又は点数を含む少なくとも１段階の故障と、システム構成要素に経年劣化が発生して次の点検時に交換を必要とする、故障の次のランク又は点数の高い経年劣化と、システム構成要素に故障が起きていない最低ランク又は最小点の故障なしとの何れかの段階に分類し、分類した段階に割り当てられたランク又は点数に応じてシステム状態表示器に故障度合を表示するようにしたため、所定のランク又は点数となる故障であれば、即刻対応が必要と判断でき、経年劣化ではシステムとしては正常な状態にあると判断して問題なく、更に、最小ランク又は最低点の故障なしは、完全に正常な状態と判断できる。
【００１９】
（故障に対するランク又は点数の割当てによる評価の効果）
また、制御部は、システム構成要素の故障を含む状態を検出した場合に、受信機による防災監視ができない最高ランク又は最高点数の第１故障と、受信機による防災監視は可能であるが、信号線に故障がある第１故障の次に高いランク又は点数の第２故障と、受信機による防災監視が可能で、信号線も正常であるが、受信機に対し外部機器から障害情報が入力している第２故障の次に高いランク又は点数の第３故障と、システム構成要素に経年劣化が発生して次の点検時に交換を必要とする第３故障の次に高いランク又は点数の第４故障と、システム構成要素に故障が起きていない最低ランク又は最小点の故障なしとの何れかの段階に分類し、分類した段階に割り当てられたランク又は点数に応じてシステム状態表示器に故障度合を表示するようにしたため、最高ランク又は最高点の第１故障であれば、即刻対応が必要と判断でき、次にランク又は点数の高い第２故障であれば、後日対応を判断でき、次にランク又は点数の低い第３故障であれば、余裕を持った対応で良いと判断でき、次のランク又は点数の低い第４故障であれば、次の定期点検まで対応は必要ないと判断でき、また、第４故障ではシステムとしては正常な状態にあると判断して問題なく、更に、最小ランク又は最低点の故障なしは、故障が全くない完全に正常な状態と判断できる。
【００２０】
（複数故障に対し最高ランク又は最高点数により状態表示の効果）
また、制御部は、システム構成要素について複数の故障を検出した場合、検出した複数の故障の中の最高ランク又は最高点数に応じてシステム状態表示器に故障度合を表示するようにしたため、複数の故障の中で優先順位の最も高い故障によるシステム状態を表示することができる。
【００２１】
（複数故障に対しランク又は点数の合計により状態表示の効果）
また、制御部は、システム構成要素について複数の故障を検出した場合、検出した複数の故障の合計点数に応じてシステム状態表示器に故障度合を表示するようにしたため、例えば低い点数の故障が複数発生していた場合、発生している故障より点数の高い故障に相当するシステム状態の表示となり、低いランク又は点数の故障であっても、複数発生していることでシステムとしての危険度が高いことから、故障度合を高くして適切な対応を可能とする。
【００２２】
（防災警報時の状態表示停止による効果）
また、制御部は、受信機から防災警報を出力した場合に、システム状態表示器により故障度合の表示を停止するようにしたため、火災警報が出されている場合に、システム状態表示器による故障度合の表示は必要なく、警報表示を混乱させる可能性があることから、システム状態表示器を停止して表示を消す。
【００２３】
（故障度合に応じた表示数又は表示量の増加する表示器の効果）
また、システム状態表示器は、故障度合の増加に応じて表示数又は表示量が増大する表示要素を備えるようにしたため、故障度合を例えばＬＥＤの表示数や、バーグラフによる表示面積の拡大により表示することで、その表示を見てどの程度の故障であるか直観的に判断することを可能とする。
【００２４】
（故障度合の増加に応じて寒色系から暖色系に変化する表示器の効果）
また、システム状態表示器は、故障度合の増加に応じて寒色系の安全色から暖色系の危険色に表示色を変化させ、例えば、システム状態表示器は、故障度合の増加に応じて、緑色又は青色から黄色を経て赤色に表示色を変化させるようにしたため、システム状態表示器の表示色によって、どの程度の故障であるか直観的に判断することを可能とする。
【００２５】
（メーター表示器による故障度合の表示の効果）
また、システム状態表示器を、故障度合の増加に応じて指針の振れ幅または回転角が増加するメーター表示器とするようにしたため、指針の位置で故障度合が容易に判断できる。
【００２６】
（単一表示灯の表示色による故障度合の表示の効果）
また、システム状態表示器は、単一の表示灯を備え、故障度合に応じて表示灯の表示色を変化させるようにしたため、システム状態の表示がシンプルとなり、表示色を見るだけで故障度合が容易に判断できる。
【００２７】
（点滅周期による故障度合の表示の効果）
また、システム状態表示器は、故障度合に応じて表示灯の点滅周期を変化させるようにしたため、例えば故障度合の増加に応じて点滅周期を短くするよう制御することで、受信機による防災監視ができないような重大な故障であれば、表示灯が短周期で連続的に点滅し、緊急に対処を必要とするシステム状態にあることが容易に判断できる。
【００２８】
（故障度合に応じた故障の表示形態を変化させる制御の効果）
また、制御部は、受信機に設けた液晶表示器による故障情報の表示形態を、故障度合の増加に応じて変化させるようにしたため、例えば液晶表示器に表示した故障情報の文字色、文字サイズやフォント等を故障度合の増加に応じて変化させることで、ユーザに対し故障度合がどの程度のものかを強くアピールし、発生した故障の見分けをより容易なものとできる。
【図面の簡単な説明】
【００２９】
【図１】Ｒ型防災受信盤を示した説明図
【図２】Ｒ型防災監視システムの概要を示したブロック図
【図３】システム状態表示器を取り出して示した説明図
【図４】故障度合とランク及び点数の関係を一覧で示した説明図
【図５】システム表示器のランクＡ，Ｂ，Ｃ，Ｄ，Ｅによるシステム状態の表示を示した説明図
【図６】メーター型のシステム表示器によるランクＡ〜Ｅのシステム状態の表示を示した説明図
【発明を実施するための形態】
【００３０】
［防災監視システムの概要］
（Ｒ型受信機）
図１はＲ型防災受信盤を示した説明図である。図１に示すように、Ｒ型受信機１０は建物の防災センタや管理人室等に設置されており、伝送機能を備えた火災感知器や中継器を介して接続したガス漏れ検知器等のセンサを伝送路により接続して火災やガス漏れ等の異常を監視し、また、地区音響装置等の制御機器を伝送路に接続して制御動作可能としている。
【００３１】
Ｒ型受信機１０は箱形の筐体前面に扉構造の受信機パネル１２を配置している。受信機パネル１２には、表示部１４、操作部１６、プリンタ１８を配置している。操作部１６の上側には露出してスイッチを配置し、下側には開閉自在な子扉１７の内側にスイッチを配置している。
【００３２】
表示部１４には火災代表灯、ガス漏れ代表灯、外部機器の障害を示す諸表示灯等を設けている。
【００３３】
操作部１６には、火災・ガス漏れ断定スイッチ、音響停止スイッチ、地区音響一時停止スイッチ等を外部に露出して設けている。また、操作部１６の子扉１７の内側には、復旧スイッチ、地区音響一斉鳴動スイッチ、一括連動停止スイッチ等を設けており、通常監視状態では子扉１７を閉じており、必要な場合に子扉１７を下側に開いてスイッチ操作を行う。
【００３４】
プリンタ１８はＲ型受信機１０で火災警報、ガス漏れ警報等のイベントを行った場合にイベント発生時刻とイベント内容を印字出力する。
【００３５】
これに加え本実施形態にあっては、Ｒ型受信機１０の受信機パネル１２にシステム状態表示器２０を設けている。システム状態表示器２０には、Ｒ型受信機１０で監視して評価した、受信機自体、火災感知器やガス漏れ検知器等の検出器及び伝送路を含むシステム構成要素の故障度合を表示する。
【００３６】
このためシステム状態表示器２０の表示を見ることで、故障が発生した場合に、ユーザにおいて直ぐに対処が必要な故障であるか否かが容易に分かり、適切な対処により故障を修復することで、故障による影響を最小限に食い止めることができる。また、軽度の故障が発生した場合にも、ユーザはシステム状態表示器２０の表示から軽度の故障であることを容易に見分けることができ、不安に駆られて深夜等の緊急呼出し等を行うようなことが低減し、保守メーカの業務負担を低減可能とする。
【００３７】
（防災監視システム）
図２はＲ型防災監視システムの概要を示したブロック図である。図２において、Ｒ型受信機１０には、制御部２２，伝送部２４、表示部１４、操作部１６、警報部２６、移報部２８及びシステム状態表示器２０を設けている。
【００３８】
Ｒ型受信機１０からは施設の警戒エリアに向けて伝送線３０が引き出され、伝送線３０に対し検知器としてアナログ感知器３２を接続している。
【００３９】
また伝送線３０には中継器３４が接続され、中継器３４から引き出された感知器回線３６にオンオフ感知器３８及び発信機４０を接続している。また別の中継器３４にはガス漏れ検知器４２を接続している。
【００４０】
アナログ感知器３２及び中継器３４は、Ｒ型受信機１０との間で情報を双方向伝送する伝送機能を備えており、Ｒ型受信機１０を含めて固有のアドレスが予め割り当てられている。１つの伝送線３０に接続できるアナログ感知器３２及び中継器３４の数は、例えば最大アドレス数が２５６アドレスの場合、受信機アドレスを除くことから、２５５台以下のアナログ感知器３２及び中継器３４を接続することができる。
【００４１】
Ｒ型受信機１０の制御部２２は、ＣＰＵ、メモリ、各種の入出力ポートを備えたコンピュータ回路で構成しており、プログラムの実行により所定の受信機制御を行う。
【００４２】
Ｒ型受信機１０からアナログ感知器３２及び中継器３４に対する下り信号は電圧モードで伝送している。この電圧モードの信号は、伝送線３０の電圧を例えば１８ボルトと３０ボルトの間で変化させる電圧パルスとして伝送される。
【００４３】
これに対しアナログ感知器３２及び中継器３４からの上り信号は電流モードで伝送される。この電流モードにあっては、伝送線３０に伝送データのビット１のタイミングで信号電流を流し、いわゆる電流パルス列として上り信号が受信機に伝送される。
【００４４】
Ｒ型受信機１０の制御部２２による受信制御は次のようになる。Ｒ型受信機１０は、通常の監視時にあっては、端末アドレスを順次指定した正常監視用のポーリングコマンドを送信しており、アナログ感知器３２及び中継器３４は自己の設定アドレスに一致するポーリングコマンドを受信すると正常監視応答を行う。このためＲ型受信機１０にあっては、ポーリングコマンドに対し応答がなかったアナログ感知器３２または中継器３４を障害として故障を検出することができる。
【００４５】
またＲ型受信機１０は、すべての端末アドレスに対するポーリングコマンドの送信周期ごとに一括ＡＤ変換コマンドを繰り返し送信している。アナログ感知器３２はＲ型受信機１０からの一括ＡＤ変換コマンドを受信すると、検出している煙濃度や温度などのアナログ検出データをサンプリングし、予め定めた火災レベルと比較している。
【００４６】
アナログ感知器３２でサンプリングしたアナログ検出データが火災レベルを超えた場合には、Ｒ型受信機１０に対しポーリングコマンドに対する応答タイミングで割込信号を送信する。この割込信号は、応答ビット列をオール１とするような通常は使用されない信号を送る。
【００４７】
中継器３４も、Ｒ型受信機１０からの一括ＡＤ変換コマンドに基づき、感知器回線３６に接続しているオンオフ感知器３８あるいはガス漏れ検知器４２の受信状態をサンプリングし、火災発報あるいはガス漏れを検出した場合には、Ｒ型受信機１０に対し割込信号を送信する。
【００４８】
Ｒ型受信機１０は、アナログ感知器３２または中継器３４からの割込信号を受信すると、グループ検索コマンドを発行し、火災を検出したアナログ感知器３２または中継器３４を含むグループからの割込応答を受信してグループを判別する。
【００４９】
続いて、判別したグループに含まれる個々のアナログ感知器や中継器に対し、順次アドレスを指定したポーリングを行い、アナログデータや火災発報データなどの火災応答を受けることで、火災を検出したアナログ感知器３２または中継器３４の感知器アドレスを認識し、火災警報動作を行うことになる。
【００５０】
（システム構成要素の故障監視）
また、Ｒ型受信機１０の制御部２２は、受信機自体、伝送線３０、アナログ感知器３２、中継器３４、更には、移報部２８を介して接続している外部機器を含むシステム構成要素の故障を監視している。
【００５１】
Ｒ型受信機１０の故障監視としては、例えば予備電源異常、予備電源電圧異常、受信機内メモリ異常、受信機内通信異常、受信機内ユニット異常、プリンタ異常、プリンタ用紙切れ等がある。更に、Ｒ型受信機１０の故障監視には、システムを構成する機器の耐用年数を管理しており、耐用年数が近づいた場合に経年劣化を判断する。
【００５２】
伝送線３０の故障監視としては、伝送線断線障害、伝送線終端障害、シリアル通信異常等がある。アナログ感知器３２や中継器３４の故障監視としては、アドレス重複、端末外れ、内部異常等がある。更に、外部機器の故障監視として、Ｒ型受信機１０に諸表示入力を行っている例えば消火ポンプ設備からの障害情報の入力がある。
【００５３】
（システム状態表示器と故障度合の評価）
図３は図１のＲ型受信機に設けたシステム状態表示器を取り出して示した説明図、図４は故障項目と故障度合を示すランク及び点数の関係を一覧で示した説明図である。
【００５４】
図３に示すように、本実施形態のシステム状態表示器２０は、故障度合の増加を示す表示要素として、故障度合の高い方から低い方に向けた順番（右から左に向かう順番）に、ＬＥＤ等を用いた第１故障表示器４６ａ、第２故障表示器４６ｂ、第３故障表示器４６ｃ、第４故障表示器４６ｄ及び故障なし表示器４６ｅを配列しており、その上側に故障による危険度の強さを示す危険度番号４５として１〜５の数値を表示し、その下側にシステム状態が安全側（ＯＫ）にどの程度の度合いあることを示す三角形の安全表示マーカ４８とシステム状態が危険側（ＮＧ）にどの程度の度合あるかを示すことを示す三角形の危険表示マーカ５０を設けている。
【００５５】
また、第１故障表示器４６ａの表示色は赤色、第２故障表示器４６ｂの表示色は橙色、第３故障表示器４６ｃの表示色は黄色、第４故障表示器４６ｄの表示色は薄い緑色又は青色、故障なし表示器４６ｅの表示色は濃い緑色又は青色とし、危険度が低い場合、即ち安全度が高い場合は緑又は青の寒色系の表示色とし、危険度が高い場合は、黄色、橙色、赤色の暖色系の表示色とする。
【００５６】
本実施形態では、図４に示すように、Ｒ型受信機１０の制御部２２は、防災監視システムで検出する故障項目を、その内容に応じて例えば５段階の故障度合を示すランクと点数に分けている。
【００５７】
第１故障は、受信機による防災監視ができず、人命に影響を生ずる可能性のある最高ランクＡで最高点数１０点の故障となる。この第１故障には、Ｒ型受信機１０の予備電源異常、予備電源電圧異常、受信機内メモリ異常、受信機内通信異常、受信機内ユニット異常、伝送線３０の伝送線断線障害、アナログ感知器３２や中継器３４のアドレス重複、端末外れ、内部異常等が含まれる。
【００５８】
第２故障は、受信機による防災監視は可能であるが、信号線に異常がある故障であり、第１故障の次に高いランクＢで点数３点の故障となる。この第２故障には、伝送線３０の伝送線終端障害、シリアル通信異常等が含まれる。
【００５９】
第３故障は、受信機による防災監視が可能であり、信号線も正常であるが、受信機に対し外部機器から障害情報が入力している場合や即対応をする必要のないプリンタ用紙切れ等の故障であり、第２故障の次に高いランクＣ及び点数２点の故障となる。
【００６０】
第４故障は、受信機による防災監視が可能であり、信号線も正常であり、外部機器からの障害情報の入力もないが、システム構成要素に経年劣化が発生して次の点検時に交換を必要とする故障であり、第３故障の次に高いランクＤで点数１点の故障となる。この第４故障は、防災監視システムとしては正常に機能しており、システムとしての危険度は極めて低い状態にある。
【００６１】
故障なしは、システム構成要素に故障が全く起きておらず、最低ランクＥで最小点０点の故障となり、システム状態としては全く問題のない危険度ゼロの状態である。
【００６２】
また、Ｒ型受信機１０の制御部２２は、所定の設定操作により、図４に示したシステム構成要素の故障種別に応じて故障度合を示すランク又は点数の割当てを、必要に応じて変更することができる。
【００６３】
（故障度合の評価と表示）
図５はシステム状態表示器のランクＡ，Ｂ，Ｃ，Ｄ，Ｅによる表示を示した説明図である。
【００６４】
図５（Ａ）は、図４の故障度合における最高ランクＡで最高点数１０点の第１故障が検出された場合のシステム状態の表示であり、第１故障表示器４６ａ，第２故障表示器４６ｂ及び第３故障表示器４６ｃの３つが点灯又は点滅しており、システム状態が最も高い危険度の状態にあり、検出している故障に対する即対応を必要とする。
【００６５】
図５（Ｂ）は、図４の故障度合におけるランクＢで点数３点の第２故障が検出された場合のシステム状態の表示であり、第２故障表示器４６ｂ及び第３故障表示器４６ｃの２つが点灯又は点滅しており、即対応は必要ないが、速やかな対応を必要とする状態にある。
【００６６】
図５（Ｃ）は、図４の故障度合におけるランクＣで点数２点の第３故障が検出された場合のシステム状態の表示であり、第３故障表示器４６ｃのみが点灯又は点滅しており、外部機器の障害やプリンタ紙切れといった軽度の故障であり、放置しておくことは適切でないので、可能な限り速やかに対応すれば良い。
【００６７】
図５（Ｄ）は、図４の故障度合におけるランクＤで点数１点の第４故障が検出された場合のシステム状態の表示であり、第４故障表示器４６ｄのみが点灯又は点滅しており、対応に時間的な余裕があることから、例えば耐用年数の近づいた機器を調べ、交換等の対応を検討すれば良い。
【００６８】
図５（Ｅ）は、図４の故障度合におけるランクＥで点数０点の故障なしが検出された場合のシステム状態の表示であり、第４故障表示器４６ｄと故障なし表示灯４６ｅの２つが点灯又は点滅しており、システムは完全に正常な状態にある。
【００６９】
（複数故障に対しランク又は点数の合計により状態表示）
Ｒ型受信機１０の制御部２２は、システム構成要素について複数の故障を検出した場合、検出した複数の故障の合計点数に応じてシステム状態表示器２０に故障度合を表示するようにしても良い。
【００７０】
制御部２２で例えば図４の第３故障と第４故障を検出した場合には、それぞれの点数である２点と１点を加えた３点を求め、１ランク上の第２故障に相当する故障度合をシステム状態表示器２０に表示する。これにより低い点数の故障であっても、複数発生していることでシステムとしての危険度が高いことから、故障度合を高くしたシステム状態の表示により、適切な対応を可能とする。
【００７１】
（防災警報時の状態表示停止）
Ｒ型受信機１０の制御部２２は、火災警報又はガス漏れ警報を出力した場合には、システム状態表示器２０による故障度合の表示を停止して表示を消す制御を行う。このように防災警報が出力された場合に、システム状態表示器２０の表示を消すことで、火災やガス漏れ等の防災警報による表示を、システム状態表示器２０の表示により、混乱させることを防止する。
【００７２】
例えば、火災警報が出力されたときに、システム状態表示器２０に例えば図５（Ａ）のような別の感知器の故障に起因したシステム状態の表示があると、故障による誤報と判断してしまう恐れもあり、システム状態表示器２０の表示を消して、このような混乱を防止する。
【００７３】
（メーター表示器による故障度合の表示）
図６はメーター型のシステム状態表示器による故障度合を示すランクＡ〜Ｅの表示を示した説明図である。
【００７４】
図６（Ａ）に示すように、本実施形態のシステム状態表示器６０は、メーターパネルにリング状目盛６２を設け、リング状目盛６２は図４の第１故障乃至第４故障及び故障なしに対応した危険度１〜５の領域６２ｅ〜６２ａに分割しており、故障度合の増加に応じて回転するメーター指針６４を設けている。
【００７５】
メーター型のシステム状態表示器６０による表示動作は、図６（Ａ）乃至（Ｅ）に示すように、検出した第１故障乃至第４故障及び故障なしによる故障度合の評価に基づき、メーター指針６４を評価結果に対応したリング状目盛６２の対応する危険度５〜１の領域６２ｅ〜６２ａを指し示すように回転し、メーター指針６４の位置から直観的にシステムの危険度を把握して故障検出によるシステム状態を認識できる。
【００７６】
また、メーター型のシステム状態表示器６０は、アナログメータであっても良いし、デジタルメーターであっても良い。また、メーター指針６４による表示に加え、メーターパネルの背景色を、危険度１〜５に応じて、緑色又は青色、薄い緑色又は青色、黄色、橙色、赤色と変化させても良い。
【００７７】
［本発明の変形例］
（Ｐ型受信機）
上記の実施形態は、Ｒ型の防災監視システムを例にとっているが、Ｐ型の防災監視システムについても、同様に、Ｐ型受信機にシステム状態表示器を設け、故障度合に応じて危険度及び又は安全度の表示を行うようにしても良い。
【００７８】
（ランク又は点数の割当てによる評価）
上記の実施形態は、第１故障乃至第４故障と故障なしの５段階に分類してランク又は点数を割り当ててシステム状態を評価しているが、他の実施形態として、Ｒ型受信機１０の制御部２２は、システム構成要素の故障を含む状態を検出した場合に、所定のランク又は点数を含む少なくとも１段階の故障と、システム構成要素に経年劣化が発生して次の点検時に交換を必要とする、故障の次のランク又は点数の高い経年劣化と、システム構成要素に故障が起きていない最低ランク又は最小点の故障なしとの何れかの段階に分類し、分類した段階に割り当てられたランク又は点数に応じてシステム状態表示器に故障度合を表示するようにしても良い。
【００７９】
また、上記の実施形態は、システム状態を５段階に分けて評価しているが、これに限定されず、例えば、重故障、軽故障、故障なしの３段階や、それ以外の適宜の多段階に分けて評価しても良い。
【００８０】
（システム状態表示器）
システム状態表示器の他の実施形態として、システム状態表示器を単一の表示灯とし、故障度合に応じて表示灯の表示色を変化させるようにしても良い。この場合の表示灯の表示色の変化は、故障度合の増加に応じて寒色系の安全色から暖色系の危険色に表示色を変化させる。
【００８１】
また、システム状態表示器の他の実施形態として、故障度合に応じて表示灯の点滅周期を変化させるようにしても良い。この場合の表示灯の点滅周期の変化は、故障度合の増加に応じて点滅周期を短くするよう制御する。
【００８２】
また、システム状態表示器の表示形態は上記の実施形態に限定されず、適宜の表示構成をとることができる。
【００８３】
（受信機表示部の故障度合に応じた表示色制御）
また、Ｒ型受信機１０の制御部２２は、Ｒ型受信機１０に設けた液晶パネル１５の表示形態を、故障度合の増加に応じて変化させる。この表示形態の変化は、例えば液晶パネル１５に表示した故障情報の文字色を、故障度合の増加に応じて寒色系の安全色から暖色系の危険色に変化させるか、故障情報の文字サイズを故障度合の増加に応じてサイズを増加に変化させるようにする。また、故障情報の文字フォントを、故障度合の増加に応じてサイズを増加に変化させても良い。更に、故障情報の文字表示色と文字サイズの両方を、故障度合の増加に応じて変化させるようにしても良い。
【００８４】
このように液晶パネル１５の故障情報の表示形態を、故障度合の増加に応じて変化させることで、ユーザに対し故障度合がどの程度のものかを強くアピールし、発生した故障の見分けをより容易なものする。
【００８５】
（その他）
また本発明は、その目的と利点を損なうことのない適宜の変形を含み、更に上記の実施形態に示した数値による限定は受けない。
【符号の説明】
【００８６】
１０：Ｒ型受信機
１２：受信機パネル
１４：表示部
１６：操作部
１７：子扉
１８：プリンタ
２０，６０：システム状態表示器
２２：制御部
２４：伝送部
２６：警報部
２８：移報部
３０：伝送線
３２：アナログ感知器
３４：中継器
３６：感知器回線
３８：オンオフ感知器
４０：発信機
４２：ガス漏れ検知器
４５：危険度番号
４６ａ：第１故障表示器
４６ｂ：第２故障表示器
４６ｃ：第３故障表示器
４６ｄ：第４故障表示器
４６ｅ：故障なし表示器
４８：安全表示マーカ
５０：危険表示マーカ
６２：リング状目盛
６４：メーター指針
【図１】
2020024765.tif 000003
【図２】
2020024765.tif 000004
【図３】
2020024765.tif 000005
【図４】
2020024765.tif 000006
【図５】
2020024765.tif 000007
【図６】
2020024765.tif 000008